(57)【要約】 実施形態は照明装置に関する。実施形態による照明装置は、ハウジング；前記ハウジングに連結された結合部材；前記ハウジングと前記結合部材との間に配置された反射体；前記結合部材に連結された光源部；及び前記光源部に連結された光学部材；を含み、前記光学部材は、前記光源部から放出される光の一部を透過させて残りの光を前記反射体で反射させる。
2014521198.tif 000002
【特許請求の範囲】
【請求項１】
ハウジングと、
前記ハウジングに連結された結合部材と、
前記ハウジングと前記結合部材との間に配置された反射体と、
前記結合部材に連結された光源部と、
前記光源部に連結された光学部材と、
を含み、
前記光学部材は、前記光源部から放出される光の一部を透過させ、残りの光を前記反射体で反射させる、照明装置。
【請求項２】
前記光学部材は、前記光源部の下に配置された第１面と前記光源部と前記第１面を連結させる第２面とを含み、
前記第１面は、前記光源部からの光を透過及び反射させ、前記第２面は、前記第１面から反射した光を透過させる、請求項１に記載の照明装置。
【請求項３】
前記光学部材の第２面は、少なくとも一つ以上の突起を有する、請求項２に記載の照明装置。
【請求項４】
前記第１面は、両端に延びた延長部を有し、
前記延長部は、前記突起よりさらに長く延びた、請求項３に記載の照明装置。
【請求項５】
前記光源部と前記光学部材との間に保護部材をさらに含み、
前記光学部材と前記保護部材は、レンズ、拡散シート（ｄｉｆｆｕｓｉｏｎ ｓｈｅｅｔ）及び光励起フィルム（Ｐｈｏｓｐｈｏｒ Ｌｕｍｉｎｅｓｃｅｎｔ Ｆｉｌｍ，ＰＬＦ）のうち少なくとも一つである、請求項１に記載の照明装置。
【請求項６】
前記光源部は、本体部及び前記本体部の下面に配置される発光モジュールを含み、
前記本体部は、第１本体と前記第１本体の一側に配置された第２本体を含み、
前記発光モジュールは、前記第１本体に配置される第１発光モジュールと、前記第２本体に配置される第２発光モジュールとを含み、
前記光源部は、前記第１本体と前記第２本体を結合させる結合キャップをさらに含む、請求項１に記載の照明装置。
【請求項７】
前記第１本体は左右対称であり、
前記第１本体は、第１突出部、第２突出部及び下面突出部を含み、
前記第１突出部は、前記第１本体の両側側面の上部から外側方向に突出して形成され、
前記第２突出部は、前記第１本体の両側側面の下部から外側方向に突出して形成され、
前記下面突出部は、前記第１本体の下面の両端から下方向に突出して形成される、請求項６に記載の照明装置。
【請求項８】
前記第２突出部は、外側方向に行くほど前記光源部の上面と近づく、請求項７に記載の照明装置。
【請求項９】
前記第１突出部は、前記第２突出部より前記光源部の側面方向に少なく突出する、請求項８に記載の照明装置。
【請求項１０】
前記発光モジュールから連結されるワイヤーは、前記複数の本体の間の前記第１突出部と前記第２突出部によって形成されるワイヤー通路に配置される、請求項９に記載の照明装置。
【請求項１１】
前記ハウジングの内面は、少なくとも一部分に反射物質が塗布される、請求項１に記載の照明装置。
【請求項１２】
前記結合部材は挿入溝を含み、
前記光源部は、前記結合部材の挿入溝と結合する連結部材をさらに含む、請求項１に記載の照明装置。
【請求項１３】
前記結合部材は前記挿入溝内に第１連結端子をさらに含み、前記光源部は第２連結端子をさらに含み、前記光源部の前記連結部材が前記結合部材の前記挿入溝と結合することによって、前記第１連結端子と前記第２連結端子が電気的に連結される、請求項１２に記載の照明装置。
【請求項１４】
前記光源部は、本体部及び発光モジュールを含み、
前記本体部は、第１本体及び第２本体を含み、
前記連結部材は、前記第１本体に配置された第１連結部材と前記第２本体に配置された第２連結部材とを含み、
前記第１連結部材と前記第２連結部材との間に配置されたスプリングをさらに含む、請求項１２に記載の照明装置。
【請求項１５】
締結手段を有するハウジングと、
前記ハウジングの一方向に延びて前記ハウジングの締結手段に対応する締結手段を介して前記ハウジングと結合する光源部と、
前記光源部は、発光モジュールを含む少なくとも一つの本体部と、
を含む、照明装置。
【請求項１６】
前記ハウジングと前記光源部との間に配置される少なくとも一つの反射体をさらに含み、
前記光源部と結合し、前記発光モジュールから放出される光の一部を透過させ、残りの光を前記ハウジングで反射させる光学部材をさらに含む、請求項１５に記載の照明装置。
【請求項１７】
前記締結手段がクリップである場合、前記クリップは、前記ハウジングの内側上面に配置されて開口部を有し、前記光源部は、前記クリップの前記開口部に挿入されて前記ハウジングに結合する、請求項１５に記載の照明装置。
【請求項１８】
前記締結手段がネジである場合、前記ハウジングの上面には一方向に少なくとも一つ以上の穴が形成されて、本体部の上面には前記一方向に少なくとも一つ以上の溝が形成され、前記光源部は、前記ネジが前記ハウジングの前記穴を貫通して前記本体部の前記溝に結合して前記ハウジングに結合する、請求項１５に記載の照明装置。
【請求項１９】
前記本体部は少なくとも一つの本体を含み、前記本体は左右対称であり、前記本体を結合させる結合キャップをさらに含む、請求項１５に記載の照明装置。
【請求項２０】
前記光源部の本体部と前記光学部材との間に保護部材をさらに含み、
前記光学部材と前記保護部材は、レンズ、拡散シート（ｄｉｆｆｕｓｉｏｎ ｓｈｅｅｔ)及び光励起フィルム（Ｐｈｏｓｐｈｏｒ Ｌｕｍｉｎｅｓｃｅｎｔ Ｆｉｌｍ，ＰＬＦ）のうち少なくとも一つである、請求項１６に記載の照明装置。
【発明の詳細な説明】
【技術分野】
【０００１】
実施形態は、照明装置に関する。
【背景技術】
【０００２】
発光ダイオード（ＬＥＤ）は、電気エネルギーを光に変換する半導体素子の一種である。発光ダイオードは、蛍光灯、白熱灯などの従来の光源に比べて、低消費電力、半永久的な寿命、素早い応答速度、安全性および環境にやさしいという長所を有する。よって、従来の光源を発光ダイオードに代替するための多くの研究が進められており、発光ダイオードは、室内外で用いられる各種ランプ、液晶表示装置、電光板および街灯などの照明装置の光源として使用が増加する傾向にある。
【発明の概要】
【発明が解決しようとする課題】
【０００３】
実施形態は、新しい構造を有する光源本体及び照明装置を提供することにある。
【０００４】
実施形態は、交替及び組み立てが容易な光源本体及び照明装置を提供することにある。
【０００５】
実施形態は、従来のハウジングに取り付け可能であって製造費用及び重さが減少した光源本体及び照明装置を提供することにある。
【０００６】
実施形態は、直接光及び間接光を同時に提供する光源本体及び照明装置を提供することにある。
【０００７】
実施形態によれば、光効率が改善された照明装置を提供することにある。
【課題を解決するための手段】
【０００８】
実施形態による照明装置は、ハウジング；前記ハウジングに連結された結合部材；前記ハウジングと前記結合部材との間に配置された反射体；前記結合部材に連結された光源部；及び前記光源部に連結された光学部材；を含み、前記光学部材は、前記光源部から放出される光の一部を透過させて残りの光を前記反射体で反射させる。
【０００９】
ここで、前記光学部材は、前記光源部の下に配置された第１面と前記光源部及び前記第１面を連結させる第２面とを含み、前記第１面は、前記光源部からの光を透過及び反射させ、前記第２面は、前記第１面から反射した光を透過させることができる。
【００１０】
ここで、前記光学部材の第２面は、少なくとも一つ以上の突起を有し得る。
【００１１】
ここで、前記第１面は、両端から延びた延長部を有し、前記延長部は、前記突起よりさらに長く延長し得る。
【００１２】
ここで、前記光源部と前記光学部材との間に保護部材をさらに含み、前記光学部材と前記保護部材は、レンズ、拡散シート（ｄｉｆｆｕｓｉｏｎ ｓｈｅｅｔ）及び光励起フィルム（Ｐｈｏｓｐｈｏｒ Ｌｕｍｉｎｅｓｃｅｎｔ Ｆｉｌｍ，ＰＬＦ）のうち少なくとも一つであり得る。
【００１３】
ここで、前記光源部は、本体部及び前記本体部の下面に配置される発光モジュールを含み、前記本体部は、第１本体と前記第１本体の一側に配置された第２本体を含み、前記発光モジュールは、前記第１本体に配置される第１発光モジュールと、前記第２本体に配置される第２発光モジュールとを含み、前記光源部は、前記第１本体と前記第２本体を結合させる結合キャップをさらに含み得る。
【００１４】
ここで、前記第１本体は左右対称であり、前記第１本体は、第１突出部、第２突出部及び下面突出部を含み、前記第１突出部は、前記第１本体の両側側面の上部から外側方向に突出して形成され、前記第２突出部は、前記第１本体の両側側面の下部から外側方向に突出して形成され、前記下面突出部は、前記第１本体の下面の両端から下方向に突出して形成され得る。
【００１５】
ここで、前記第２突出部は、外側方向に行くほど前記光源部の上面と近づくことができる。
【００１６】
ここで、前記第１突出部は、前記第２突出部より前記光源部の側面方向に少なく突出され得る。
【００１７】
ここで、前記発光モジュールから連結されるワイヤーは、前記複数の本体の間の前記第１突出部と前記第２突出部によって形成されるワイヤー通路に配置され得る。
【００１８】
ここで、前記ハウジングの内面は、少なくとも一部分に反射物質が塗布され得る。
【００１９】
ここで、前記結合部材は挿入溝を含み、前記光源部は、前記結合部材の挿入溝と結合する連結部材をさらに含み得る。
【００２０】
ここで、前記結合部材は前記挿入溝内に第１連結端子をさらに含み、前記光源部は第２連結端子をさらに含み、前記光源部の前記連結部材が前記結合部材の前記挿入溝と結合することによって、前記第１連結端子と前記第２連結端子が電気的に連結され得る。
【００２１】
ここで、前記光源部は本体部及び発光モジュールを含み、前記本体部は第１本体と第２本体を含み、前記連結部材は、前記第１本体に配置された第１連結部材と前記第２本体に配置された第２連結部材とを含み、前記第１連結部材と前記第２連結部材との間に配置されたスプリングをさらに含み得る。
【００２２】
実施形態による照明装置は、締結手段を有するハウジング；及び前記ハウジングの一方向に延びて前記ハウジングの締結手段に対応する締結手段を介して前記ハウジングと結合する光源部；前記光源部は、発光モジュールを含む少なくとも一つの本体部を含む。
【００２３】
ここで、前記ハウジングと前記光源部との間に配置される少なくとも一つの反射体をさらに含み、前記光源部と結合して、前記発光モジュールから放出される光の一部を透過させ、残りの光を前記ハウジングで反射させる光学部材をさらに含み得る。
【００２４】
ここで、前記締結手段がクリップである場合、前記クリップは、前記ハウジングの内側上面に配置されて開口部を有し、前記光源部は、前記クリップの前記開口部に挿入されて前記ハウジングに結合され得る。
【００２５】
ここで、前記締結手段がネジである場合、前記ハウジングの上面には一方向に少なくとも一つ以上の穴が形成され、本体部の上面には前記一方向に少なくとも一つ以上の溝が形成されて、前記光源部は前記ネジが前記ハウジングの前記溝を貫通し、前記本体部の前記溝に結合して前記ハウジングに結合され得る。
【００２６】
ここで、前記本体部は少なくとも一つの本体を含み、前記本体は左右対称であり、前記本体を結合させる結合キャップをさらに含み得る。
【００２７】
ここで、前記光源部の本体部と前記光学部材との間に保護部材をさらに含み、前記光学部材と前記保護部材は、レンズ、拡散シート（ｄｉｆｆｕｓｉｏｎ ｓｈｅｅｔ）及び光励起フィルム（Ｐｈｏｓｐｈｏｒ Ｌｕｍｉｎｅｓｃｅｎｔ Ｆｉｌｍ，ＰＬＦ）のうち少なくとも一つであり得る。
【発明の効果】
【００２８】
本発明を通して、新しい構造を有する光源本体及び照明装置を提供することができる。
【００２９】
本発明を通して、交替及び組み立てが容易な光源本体及び照明装置を提供することができる。
【００３０】
本発明を通して、従来のハウジングに取り付け可能であって製造費用及び重さが減少した光源本体及び照明装置を提供することができる。
【００３１】
本発明を通して、直接光及び間接光を同時に提供する光源本体及び照明装置を提供することができる。
【００３２】
本発明を通して、光効率が改善された照明装置を提供することができる。
【図面の簡単な説明】
【００３３】
【図１】実施形態による照明装置の斜視図を示す。
【図２】実施形態による照明装置の分解斜視図を示す。
【図３】実施形態による照明装置の断面図を示す。
【図４ａ】図３のハウジング、反射体及び結合部材の分解斜視図を示す。
【図４ｂ】図３に示された結合部材の分解斜視図を示す。
【図４ｃ】図３の結合部材と光源部の領域を拡大した図面を示す。
【図５】実施形態による光源部の斜視図を示す。
【図６】実施形態による光源部の斜視図を示す。
【図７】実施形態による光源部の分解斜視図を示す。
【図８】実施形態による光源部の分解斜視図を示す。
【図９ａ】実施形態による照明装置の本体部の分解斜視図を示す。
【図９ｂ】実施形態による照明装置の本体部の分解断面図を示す。
【図９ｃ】実施形態による複数の本体の断面図を示す。
【図１０】実施形態による照明装置の連結部材、本体部の分解斜視図を示す。
【図１１】一変形例による照明装置の断面図を示す。
【図１２】一変形例による照明装置の分解斜視図を示す。
【図１３】他の変形例による照明装置の断面図を示す。
【図１４】他の変形例による照明装置の分解斜視図を示す。
【発明を実施するための形態】
【００３４】
以下、本発明の実施形態に対し、添付した図面を参照して詳しく説明することにする。ただし、添付された図面は、本発明の内容をより容易く開示するために説明されるだけで、本発明の範囲が添付された図面の範囲に限定される訳ではないことは、この技術分野の通常の知識を有する者ならば容易に分かるはずである。
【００３５】
また、各構成要素の上又は下に対する基準は、図面を基準として説明する。図面において各層の厚さや大きさは、説明の便宜及び明確性のために誇張されるか、省略されるか、又は概略的に示された。また、各構成要素の大きさは、実際の大きさを全体的に反映するものではない。
【００３６】
本発明による実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００３７】
［実施形態］
図１は、実施形態による照明装置１の斜視図である。図２は、実施形態による照明装置１の分解斜視図である。図３は、実施形態による照明装置１の断面図である。図４ａは、図３のハウジング、反射体及び結合部材の分解斜視図である。図４ｂは、図３に示された結合部材の分解斜視図である。図４ｃは、図３の結合部材と光源部の領域を拡大した図面である。
【００３８】
図１ないし図４ｃを参照すると、実施形態による照明装置１は、ハウジング１００、結合部材１１０、反射体２００、光源部３００及び電源駆動部４００を含む。
【００３９】
１．ハウジング１００及び結合部材１１０
ハウジング１００は、結合部材１１０及び反射体２００を収容できる箱（ｂｏｘ）の形態で形成されたものであり得る。ハウジング１００の形状は、外部からながめた際に四角形であり得るが、これに限定される訳ではなく、多様な形状を有し得る。
【００４０】
ハウジング１００は、熱を効果的に放出できる物質で形成されたものであり得る。例えば、ハウジング１００は、アルミニウム（Ａｌ）、錫（Ｓｎ）、ニッケル（Ｎｉ）、銀（Ａｇ）、銅（Ｃｕ）、チタニウム（Ｔｉ）、モリブデン（Ｍｏ）、タングステン（Ｗ）、金（Ａｕ）、白金（Ｐｔ）などの金属で形成されたものであり得る。
【００４１】
ハウジング１００の側面及び／又は表面には、電源駆動部４００を外部の電源と電気的に連結する穴１０７を形成することができる。光源部３００の電気的供給を制御・調整できるように外部の電源と電気的に連結される電源駆動部４００は、ハウジング１００の側面及び／又は上面に配置することができる。
【００４２】
ハウジング１００は、光源部３００から放出される光が反射体２００により反射して出射されるように開口部１０１を有する。
【００４３】
一方、照明装置１を天井や壁面などの外部支持部材に設置する場合、外部支持部材に照明装置１の形状に対応する挿入部を形成し、挿入部に照明装置１を挿入して固定させることになる。
【００４４】
結合部材１１０は、ハウジング１００の内側の上面に結合され得る。結合部材１１０は、多様な方法でハウジング１００に結合され得る。例えば、結合部材１１０は、結合ネジ、接着剤などによってハウジング１００に結合され得る。
【００４５】
結合部材１１０は、ハウジング１００の上面に第１方向に長く延びるように形成されたものであり得る。例えば、結合部材１１０は、ハウジング１００の一内側壁面から向かい側の内側壁面まで延びるように形成され得る。
【００４６】
反射体２００は、ハウジング１００の内側に配置され、ハウジング１００の側面部に結着する第１側２１０と結合部材１１０の側面部に結着する第２側２２０とを有する。
【００４７】
結合部材１１０の外側壁面には第１溝１１１が形成され得る。第１溝１１１は、第１方向に長く延びるように形成されたものであり得る。第１溝１１１には、反射体２００の第２側２２０が挿入され得る。
【００４８】
ハウジング１００と結合部材１１０は、反射体２００が脱着できるように形成され得る。
【００４９】
ハウジング１００の内側壁面には、反射体２００の第１側２１０を挿入することができる第２溝１０３が形成され得る。第２溝１０３は一つで形成されてもよく、複数個で形成されてもよい。
【００５０】
反射体２００の第１側２１０がハウジング１００の第２溝１０３に挿入され、反射体の第２側２２０が結合部材１１０の第１溝１１１に挿入されることによって、ハウジング１００と結合部材１１０は反射体２００を固定及び支持することができる。
【００５１】
また、結合部材１１０は、光源部３００が脱着できるように形成され得る。
【００５２】
結合部材１１０の中間部分には、挿入溝１１２が形成され得る。挿入溝１１２には光源部３００の一部が挿入され得る。挿入溝１１２は、第１方向に長く延びるように形成されたものであり得る。
【００５３】
挿入溝１１２の内側壁面には、第３溝１１３が形成され得る。第３溝１１３には、光源部３００の連結部材３４０が挿入され得る。これにより、第３溝１１３は光源部３００を結合部材１１０に堅固に結合させることができる。光源部３００及び結合部材１１０との結合関係に対するより詳しい説明は、後述することにする。
【００５４】
挿入溝１１２の内部の中間部分には、第１連結端子１２０が形成され得る。光源部３００が挿入溝１１２に挿入される場合、第１連結端子１２０は、光源部３００の第２連結端子３３０と結合して電気的に連結され得る。第１連結端子１２０と第２連結端子３３０が連結される場合、第１連結端子１２０と第２連結端子３３０を介して電源及び／又は駆動信号を光源部３００に伝達することができる。
【００５５】
第１連結端子１２０は照明装置１の設計に応じて、一つ又は複数個で形成され得る。第１連結端子１２０に対するより詳しい説明は、第２連結端子３３０に対する詳しい説明と共に後述することにする。
【００５６】
また、結合部材１１０は、光源部３００で発生した熱を直接放出したりハウジング１００に伝達する役割をすることができる。
【００５７】
結合部材１１０は、熱を効果的に放出及び／又は伝達できる物質で形成されるのが好ましい。例えば、結合部材１１０は、アルミニウム（Ａｌ）、錫（Ｓｎ）、ニッケル（Ｎｉ）、銀（Ａｇ）、銅（Ｃｕ）、チタニウム（Ｔｉ）、モリブデン（Ｍｏ）、タングステン（Ｗ）、金（Ａｕ）、白金（Ｐｔ）などの金属で形成されたものであり得る。
【００５８】
２．反射体２００
反射体２００は、第１反射体２００ａと第２反射体２００ｂを含み得る。第１反射体２００ａと第２反射体２００ｂは、ハウジング１００及び結合部材１１０との結合及び分離が可能である。
【００５９】
例えば、第２反射体２００ｂがハウジング１００及び結合部材１１０に結合する場合、図２に示されたように、第２反射体２００ｂの第２側２２０が結合部材１１０の第１溝１１１に挿入され、第１側２１０がハウジング１００の第２溝１０３に挿入されることによって結合し得る。
【００６０】
反射体２００の第２側２２０は、段差を有するように形成され得る。反射体２００の第１側２１０も段差を有するように形成され得る。また、第１側２１０には一つ以上の挿入端が形成され得る。反射体２００の第１側２１０には、第２溝１０３に挿入され得る少なくとも一つの挿入端が形成され得る。第２溝１０３は、挿入端の形状に対応するように形成されたものであり得る。
【００６１】
第１反射体２００ａと第２反射体２００ｂは放物線形態の面を有し、第１方向で延びるように形成されたものであり得る。これにより、第１反射体２００ａと第２反射体２００ｂは、二つの放物面を有するパラボラ（ｐａｒａｂｏｌａ）形態を成し得る。ただし、反射体２００の形態は、所望する照明に応じて多様に変形され得る。
【００６２】
反射体２００は、反射効率が高い金属材質又は樹脂材質で形成されたものであり得る。例えば、樹脂材質は、ＰＥＴ、ＰＣ、ＰＶＣレジンの何れか一つを含み得る。また、金属材質は、銀（Ａｇ）、銀（Ａｇ）を含んだ合金、アルミニウム（Ａｌ）及びアルミニウム（Ａｌ）を含んだ合金のうち少なくとも一つを含み得る。
【００６３】
反射体２００の表面は、銀（Ａｇ）、アルミニウム（Ａｌ）、白色のＰＳＲ（ｐｈｏｔｏ ｓｏｌｄｅｒ ｒｅｓｉｓｔ）インク、拡散シートなどでコーティングがなされたり、アノダイジング（ａｎｏｄｉｚｉｎｇ）処理による酸化膜が形成され得る。
【００６４】
ただし、反射体２００の材質及び色に対して限定はせず、これは、照明装置１を具現しようとする照明に応じて多様に選択することができる。
【００６５】
３．電源駆動部４００
電源駆動部４００は、光源部３００と連結される場合、電源及び駆動信号のうち少なくとも一つを提供することができる。
【００６６】
図２及び図３に示されたように、電源駆動部４００は、ハウジング１００の内部面と放物線形態の反射体２００との間に提供される空間上に設置され得る。すなわち、反射体２００の放物線形態によって反射体２００とハウジング１００の角部分の間には空のスペースが形成されるが、この空のスペース上に電源駆動部４００を設置することができる。
【００６７】
電源駆動部４００は、外部から入力されるＡＣ電源をＤＣ電源に変換して出力することができる。
【００６８】
電源駆動部４００は、光源部３００とワイヤー又は軟性印刷回路基板（ＦＰＣＢ）などによって電気的に連結され得る。例えば、ワイヤー又はＦＰＣＢは、電源駆動部４００から延びて、結合部材１１０に形成された連結穴を介して第１連結端子１２０に電気的に連結され、第１連結端子１２０は、第２連結端子３３０に電気的に連結されることによって、電源駆動部４００と光源部３００が電気的に連結され得る。
【００６９】
４．光源部３００
照明装置１は光源部３００を含む。光源部３００は、図１に示されたように、ハウジング１００の内側中央に配置され得る。また、光源部３００は、結合部材１１０に脱着可能に結合され得る。
【００７０】
図５及び図６は、実施形態による光源部３００の斜視図である。図７及び図８は、実施形態による光源部３００の分解斜視図である。図９ａは、実施形態による照明装置の本体部の分解斜視図である。図９ｂは、実施形態による照明装置の本体部の分解断面図である。図９ｃは、実施形態による照明装置の複数の本体の断面図である。図１０は、実施形態による照明装置の連結部材、本体部の分解斜視図である。
【００７１】
図５ないし図１０を参照すると、実施形態による光源部３００は、第１本体３１０ａ、第２本体３１０ｂ、第１発光モジュール３２０ａ、第２発光モジュール３２０ｂ、第２連結端子３３０、連結部材３４０、保護カバー３６０、及び光学カバー３８０を含む。
【００７２】
第１本体３１０ａと第２本体３１０ｂは同一の形状を有し、光源部３００の本体部をなす。光源部３００は、第１方向、すなわち、反射体２００の長手方向に沿って延びるように形成されたものであり得る。
【００７３】
１）第１本体３１０ａ及び第２本体３１０ｂ
光源部３００は、第１発光モジュール３２０ａ及び第２発光モジュール３２０ｂが配置され得る第１本体３１０ａ及び第２本体３１０ｂを含み、第１本体３１０ａ及び第２本体３１０ｂは、本体部又は光源本体と称することができる。
【００７４】
第１本体３１０ａ及び第２本体３１０ｂは、図７ないし図９ｃに示されたような形状であり得る。第１本体３１０ａ及び第２本体３１０ｂは同一の形状を有するので、以下では第１本体３１０ａを基準として形状を説明する。
【００７５】
図９ａに示されたように、第１本体３１０ａは、一側から他側まで第１方向に沿って延びる直線形態のビーム形態であり得る。第１方向は、照明装置１の照明面に平行した直線のうちの一つで、任意に選択され得る。
【００７６】
図９ｂは、図９ａの第１本体３１０ａを第１方向に垂直な平面で切った断面図である。第１本体３１０ａの断面は、両側側面の上部から外側方向に突出した第１突出部３１１、両側側面の下部から外側方向に突出した第２突出部３１４、下面の両端から下方向に突出した下面突出部３１７を有し得る。
【００７７】
このような断面図によると、下面突出部３１７は、第１本体３１０ａの下面の両端で第１方向に平行するように配置される。また、下面突出部３１７の間には、第１発光モジュール３２０ａが配置されるために平らな安着面３１３が配置され得る。
【００７８】
図９ｂに示されたように、第１本体３１０ａは左右対称の形状を有することができ、これにより、第１本体３１０ａと同じ部材は左右の区分なしに使用することができる。第１本体３１０ａの左側面と右側面は、光学カバー３８０が引っ掛けられるように第２突出部３１４を有し得る。
【００７９】
光学カバー３８０が第１本体３１０ａにより安定的に結合されるために、第２突出部３１４は、外側方向に行くほど第１本体３１０ａの上面と近づくように傾くことができる。
【００８０】
また、第１本体３１０ａの左側面と右側面は、第１突出部３１１と第２突出部３１４との間に側面溝３１２を有し得る。第１本体３１０ａと第２本体３１０ｂが、側面が互いに向かい合うように並んで配置された時、側面溝３１２は第１発光モジュール３２０ａ及び第２発光モジュール３２０ｂに連結されたワイヤーが通過する電気的連結通路として機能する。
【００８１】
図９ｃは、複数の本体の側面が互いに向かい合うように配置された場合の断面を示す。図９ｃに示されたように、複数の本体の間には、第１突出部３１１及び第２突出部３１４によりワイヤー通路３１９が形成され得る。
【００８２】
外部電源からの電源供給を受けるため、第１発光モジュール３２０ａ及び第２発光モジュール３２０ｂから連結されるワイヤーは、ワイヤー通路３１９の中に配置され、第２連結端子３３０に連結することができる。
【００８３】
本体部の上面に配置される第１突出部３１１は、ワイヤーが、第１本体３１０ａ及び第２本体３１０ｂの上面に配置される第２連結端子３３０に連結されるように、出て来ることができる通路を確保するため、第２突出部３１４より短く形成され得る。
【００８４】
第1突出部３１１が第２突出部３１４より短く突出することによって、第１本体３１０ａと第２本体３１０ｂが並んで配置され、第１本体３１０ａと第２本体３１０ｂとの間の第２突出部３１４が互いに接触する時にも、第１本体３１０ａと第２本体３１０ｂとの間の第１突出部３１１は互いに接触せず、所定の距離をおいて離れていることになる。
【００８５】
第１本体３１０ａの下面は、第１発光モジュール３２０ａが安着することができる安着面３１３を有する。安着面３１３には、基板を設置することができ、基板上には複数の発光ダイオードが設置され、基板によって複数の発光ダイオードが電源供給に連結され得る。
【００８６】
複数の発光ダイオードは、例えば、赤色、緑色、青色又は白色の光を放出する赤色、緑色、青色又は白色発光ダイオードの中から多様な組み合わせを有するように選択され得る。また、複数の発光ダイオードは、アレイ（Ａｒｒａｙ）形態で配置され得る。
【００８７】
また、複数の発光ダイオード上には光学構造物が配置され、複数の発光ダイオードから放出される光の配光及び色感を調節する一方、必要に応じて多様な輝度及び色感を有する感性照明を具現することができる。
【００８８】
第１本体３１０ａの安着面３１３は、所定間隔で離隔した複数のタップ穴３１８を有し、第１発光モジュール３２０ａも第１本体３１０ａの安着面３１３のタップ穴３１８の位置に対応してネジ穴を有する。また、タップ穴３１８の少なくとも一部には、スクリュー結合のためのネジ山が形成され得る。
【００８９】
これにより、ネジが第１発光モジュール３２０ａのネジ穴を通過して第１本体３１０ａのタップ穴３１８に結合されて、第１発光モジュール３２０ａを第１本体３１０ａの安着面３１３に固定することができる。
【００９０】
また、第１本体３１０ａの下面の両端には内向きの係止突起３１５が配置され、係止突起３１５に保護カバー３６０の側面が挟まれることによって、保護カバー３６０が第１本体３１０ａに固定されるようにする。
【００９１】
第１本体３１０ａは放熱体としても機能し、第１本体３１０ａの下面は、第１発光モジュール３２０ａから発生する熱の伝達を受ける接触面になる。
【００９２】
第１本体３１０ａの上面は、第１本体３１０ａの一端から他端まで連結された連結溝３１６を有する。連結溝３１６の上部は、連結部材３４０が挟まれて連結するように連結部材３４０の連結部３４２と対応する形態で形成され得る。また、連結溝３１６の下部はネジ山を有するようにして、第１本体３１０ａがネジ等を介してハウジング１００に直接連結され得るようにする。
【００９３】
第１本体３１０ａの上面の連結溝３１６は、第１本体３１０ａの一端から他端までつながるように形成され、第１本体３１０ａの重さ及び製作費用を減らし、必要に応じて連結部材３４０が第１本体３１０ａに取り付けられる位置を自由に選択することができ、第１本体３１０ａがハウジング１００にネジ等を介して直接結合される場合にも、ネジ結合の位置が自由に選択され得るようにする。
【００９４】
反面、第１本体３１０ａの下面には、上述したように、溝が連続的につながらないタップ穴３１８が形成されるが、これは、第１本体３１０ａが放熱体として効率的に機能するように、第１発光モジュール３２０ａとの接触面積を増やすためである。
【００９５】
したがって、第１本体３１０ａの下面には、互いに離隔した複数のタップ穴３１８を形成し、第１本体３１０ａの上面には、第１本体３１０ａの一端から他端までつながる連結溝３１６を形成することができる。
【００９６】
図９ｃに示されたように、第１本体３１０ａの上面は、連結溝３１６に直接連結される第１面３０と、第１面３０から第１本体３１０ａの外側方向に延びる第２面を有し得る。
【００９７】
第１本体３１０ａの下面から上面までの距離を高さとする場合、第１面３０は連結溝に近づくほど高さが低くなり、第２面３５は高さが一定であるように水平に配置され得る。
【００９８】
第１本体３１０ａの上面が水平な場合には、第１本体３１０ａが連結溝３１６を介してハウジング１００の内側上面にネジ結合される場合、連結溝３１６がある部分のみがハウジング１００の内側上面に緊密に接触し、上面の外側部分はハウジング１００の内側上面と緊密に接触できないこともある。
【００９９】
しかし、第１本体３１０ａの上面の第１面３０は、連結溝３１６に近づくほど高さが低くなり、第２面３５は高さが一定であるように水平に配置される場合、ネジを締めるにつれて連結溝３１６が配置される第１面３０がハウジング１００の内側上面に緊密に接触しながら、上面の外側部分である第２面３５もハウジング１００の内側上面に緊密に接触するようになる。これにより、ハウジング１００と第１本体３１０ａの接触面積がより大きくなって熱伝導などに有利な効果を得ることができる。
【０１００】
２）連結部材３４０及び結合キャップ３５０
連結部材３４０は、前記第１本体３１０ａ及び第２本体３１０ｂにそれぞれ配置される第１連結部材及び第２連結部材を含む。連結部材３４０は、第１本体３１０ａ及び第２本体３１０ｂの上面の連結溝３１６に配置され、結合部材１１０の第３溝１１３に引っ掛かり固定されることによって、光源部３００を結合部材１１０に結着させる機能をする。
【０１０１】
連結部材３４０は、第１本体３１０ａ及び第２本体３１０ｂの連結溝３１６に結着するように、連結溝３１６の上部と対応する形状を有する連結部３４２を有し、結合部材１１０の第３溝１１３に引っ掛かり固定されるように結合突起３４４を有する。
【０１０２】
連結部材３４０は、第１本体３１０ａ及び第２本体３１０ｂの連結溝３１６の上部に挟まれてスライディング移動して結合することができる。第１本体３１０ａ及び第２本体３１０ｂの連結溝３１６はまっすぐに連結されているので、連結部材３４０は連結溝３１６に挟まれた状態でスライディング移動して第１本体３１０ａ及び第２本体３１０ｂの上面の所望の位置に配置することができる。
【０１０３】
また、連結部材３４０の垂直面の間、すなわち、前記第１連結部材及び前記第２連結部材の間には、スプリング３７０が配置され得る。例えば、スプリング３７０は、図７及び図８に示されたように、開いた「コ」の字形であり、連結部材３４０の垂直面と、第１本体３１０ａ及び第２本体３１０ｂの上面に接触するように配置され得る。
【０１０４】
スプリング３７０は、連結部材３４０の垂直面に弾性力を提供することによって、光源部３００を結合部材１１０の挿入溝１１２に堅固に結合させることができる。スプリング３７０は、連結部材３４０の垂直面の間の間隔、すなわち、前記第１連結部材と前記第２連結部材との間の間隔が遠のく方向に、連結部材３４０の垂直面に弾性力を提供することができる。
【０１０５】
すなわち、スプリング３７０は、連結部材３４０の垂直面を押しやる役割をする。したがって、光源部３００を結合部材１１０に挿入する場合、第１本体３１０ａと第２本体３１０ｂの上面に結合した連結部材３４０は、スプリング３７０により加えられる力によって、結合部材１１０の第３溝１１３に堅固に結合することができる。
【０１０６】
複数の発光ダイオードから発生した熱は、光源部３００の本体によって放出されたり、第１本体３１０ａ及び第２本体３１０ｂと結合部材１１０を連結する連結部材３４０を介して結合部材１１０に伝達され放出することができる。よって、第１本体３１０ａ及び第２本体３１０ｂは、熱を効果的に放出できる材質で形成されたものが好ましい。
【０１０７】
例えば、アルミニウム（Ａｌ）、錫（Ｓｎ）、ニッケル（Ｎｉ）、銀（Ａｇ）銅（Ｃｕ）、チタニウム（Ｔｉ）モリブデン（Ｍｏ）タングステン（Ｗ）金（Ａｕ）白金（Ｐｔ）などの金属で形成されたものであり得る。また、光源部３００の本体の一部分には凹凸が形成され、熱を効果的に放出することができる。
【０１０８】
第１本体３１０ａ及び第２本体３１０ｂは、結合キャップ３５０がその一端に結合されることによって、互いに結合することができる。
【０１０９】
図９ｂに示されたように、第１本体３１０ａ及び第２本体の一側面には、第１溝３６１が形成され得る。
【０１１０】
図７及び８を参照すると、結合キャップ３５０には第１溝３６１に対応する位置に配置される貫通穴３５５が形成され得る。ネジが結合キャップ３５０の貫通穴３５５を通過して第１溝３６１に結合することによって、結合キャップ３５０は第１本体３１０ａと第２本体３１０ｂの少なくとも一側面に固定され、第１本体３１０ａと第２本体３１０ｂを互いに結合させることができる。
【０１１１】
３）第１連結端子１２０及び第２連結端子３３０
図４ｂ及び図４ｃに示されたように、結合部材１１０の中央部分には、光源部３００との電気的連結のための第１連結端子１２０が配置され得る。第１連結端子１２０は、ワイヤーなどを介して電源駆動部４００と電気的に連結され得る。
【０１１２】
また、図７及び図８に示されたように、光源部３００への電気的供給のために第２連結端子３３０が第１本体３１０ａ及び第２本体３１０ｂ上に配置され得る。
【０１１３】
第１発光モジュール３２０ａに連結されたワイヤーと第２発光モジュール３２０ｂに連結されたワイヤーは、第１本体３１０ａと第２本体３１０ｂとの間の空間を通過し、第１本体３１０ａと第２本体３１０ｂの上面中央に配置された第２連結端子３３０に連結され得る。
【０１１４】
このように、第１本体３１０ａの側面溝３１２と第２本体３１０ｂの側面溝３１２がなす空間は、ワイヤーを配置することができる空間を提供することによって、電気的連結のためのワイヤーの配置を容易にする。
【０１１５】
光源部３００が結合部材１１０に挿入される場合、第２連結端子３３０は、結合部材１１０の挿入溝１１２の空間に形成された第１連結端子１２０と結合して、光源部３００は電気的に連結され得る。
【０１１６】
これにより、電源駆動部４００は、第１連結端子１２０及び第２連結端子３３０を介して電源及び／又は駆動信号を光源部３００に提供することができる。
【０１１７】
第１連結端子１２０及び第２連結端子３３０はＤ−Ｓｕｂコネクターであってもよく、第１連結端子１２０がピンを有すれば第２連結端子３３０は穴を有して、第１連結端子１２０が穴を有すれば第２連結端子３３０はピンを有するようにして、第１連結端子１２０及び第２連結端子３３０を電気的及び物理的に連結することができる。
【０１１８】
４）光学カバー３８０
光学カバー３８０は、第１本体３１０ａ及び第２本体３１０ｂからなる本体部の側面に結合し、第１本体３１０ａ及び第２本体３１０ｂの下部に配置されて、光学部材として機能することができる。
【０１１９】
光学カバー３８０は、第１本体３１０ａと第２本体３１０ｂの下面に配置された第１発光モジュール３２０ａ及び第２発光モジュール３２０ｂの光が放出される方向に向かう下面である第１面３８３と、本体部と第１面３８３を結合させて反射体２００に向かう側面である第２面３８６とからなり得る。
【０１２０】
光学カバー３８０の第２面３８６の上端には、内向きの係止部３８８が配置され得る。係止部３８８は、第１本体３１０ａ及び第２本体３１０ｂの側面に突出した第２突出部３１４上に配置され、光学カバー３８０が本体部に結合されるようにできる。
【０１２１】
第１発光モジュール３２０ａ及び第２発光モジュール３２０ｂから放出される光の少なくとも一部は、光学カバー３８０の第１面３８３で反射して第２面３８６を通過することができる。第２面３８６を通過した光は反射体２００によって反射し、ハウジング１００の下部に放出されることになる。
【０１２２】
第２面３８６の透過度は第１面３８３の透過度より高くてもよい。また、第２面３８６には突起３８７が配置されて、第２面３８６を透過する光が均等に拡散されるようにすることができる。突起３８７を通過して分散した光は、反射体２００に均等に照射されて、均一な光を照明装置１の外部に放出することができる。
【０１２３】
すなわち、第１発光モジュール３２０ａ及び第２発光モジュール３２０ｂから放出される光は、光学カバー３８０の第１面３８３を透過して直接光として照明領域を照らすと同時に、光学カバー３８０の第１面３８３及び反射体２００からの反射を通じて照明領域に間接光を照らすことができる。このように、照明装置１は、直接光を提供しながら同時に間接光も提供することができる。
【０１２４】
第１面３８３と第２面３８６が出会う部分には、第１面３８３から延びて突出する延長部３８９が配置され得る。延長部３８９は、光学カバー３８０を本体部に結合する際に曲げるための取っ手として使用することができ、第２面３８６の突起３８７が照明装置１の下の使用者に見えないようにする機能をすることができる。このような機能のために、延長部３８９は突起３８７より高く突出し、突起３８７を使用者の視野から隠すようにすることができる。
【０１２５】
一方、保護カバー３６０が本体部と光学カバー３８０との間に配置され得る。保護カバー３６０は、光源部３００内に流入し得る湿気などから第１発光モジュール３２０ａ及び第２発光モジュール３２０ｂを保護することができる。
【０１２６】
保護カバー３６０も光学部材として機能することができ、第１発光モジュール３２０ａ及び第２発光モジュール３２０ｂから放出される光が均等に分散するようにする機能を行うことができる。
【０１２７】
保護カバー３６０及び／又は光学カバー３８０は、レンズ、拡散シート（ｄｉｆｆｕｓｉｏｎ ｓｈｅｅｔ）及び光励起フィルム（Ｐｈｏｓｐｈｏｒ Ｌｕｍｉｎｅｓｃｅｔ Ｆｉｌｍ、ＰＬＦ）のうち少なくとも一つを含み得る。レンズは照明装置の設計に応じて、凹レンズ、凸レンズ、集光レンズなど多様な形状を有するレンズを含み得る。
【０１２８】
拡散シートは、複数の発光ダイオードから放出された光を均等に拡散させることができる。
【０１２９】
光励起フィルム（ＰＬＦ）は、蛍光体を含むフィルムであり得る。光励起フィルム（ＰＬＦ）に含まれた蛍光体は、第１発光モジュール３２０ａ及び第２発光モジュール３２０ｂから放出される光によって励起されるので、照明装置は、第１発光モジュール３２０ａ及び第２発光モジュール３２０ｂから放出される第１光と蛍光体によって励起された第２光が混色されて多様な色感を有する感性照明を具現することができる。
【０１３０】
例えば、第１発光モジュール３２０ａ及び第２発光モジュール３２０ｂが青色光を発光し、光励起フィルム（ＰＬＦ）が青色光によって励起される黄色蛍光体を含む場合、照明装置は青色光及び黄色光が混色されて白色光を発光することができる。
【０１３１】
保護カバー３６０及び／又は光学カバー３８０は、使用者の必要に応じて、レンズ、拡散シート、光励起フィルムの何れか一つに容易に交替して使用することができる。
【０１３２】
５．光源部３００及び結合部材１１０の脱着
１）結合過程
光源部３００は、結合部材１１０と脱着可能なように結合することができる。
【０１３３】
まず、光源部３００の第１本体３１０ａ及び第２本体３１０ｂ上に配置された連結部材３４０に第１の力を加えて連結部材３４０の第１連結部材と第２連結部材との間の幅が狭くなるようにする。この時、第１の力はスプリング３７０によって加えられる弾性力の方向と反対方向であり得る。
【０１３４】
第１の力を加えない場合、連結部材３４０はスプリング３７０から提供される弾性力によって開いている状態になるので、光源部３００を結合部材１１０の挿入溝１１２に挿入するのが難い。
【０１３５】
連結部材３４０に第１の力を加えながら、光源部３００を結合部材１１０の挿入溝１１２に挿入する。連結部材３４０が挿入溝１１２内に挿入された後、第１の力を加えなくなれば、弾性力によって連結部材３４０の第１連結部材と第２連結部材との間の間隔が再び遠のくことになり、光源部３００上端の連結部材３４０の結合突起３４４は、挿入溝１１２の内側面に形成された第３溝１１３に挿入され得る。これにより、光源部３００が結合部材１１０に結合することができる。
【０１３６】
また、光源部３００が結合部材１１０に結合した後、連結部材３４０の第１連結部材と第２連結部材との間に配置されたスプリング３７０が、第１本体３１０ａ及び第２本体３１０ｂを互いに押しやるので、連結部材３４０は第３溝１１３にさらに堅固に結合することができる。
【０１３７】
また、スプリング３７０によって、連結部材３４０と挿入溝１１２との間の接触面に均一な圧力が持続的に加えられることになる。これにより、光源部３００から発生する熱は、連結部材３４０と結合部材１１０の接触面を介してより効率的に伝導することができる。
【０１３８】
２）分離過程
光源部３００のメンテナンスが必要な場合、光源部３００は結合部材１１０から分離することができる。
【０１３９】
結合部材１１０から光源部３００を分離する場合、連結部材３４０に第１の力を加えて連結部材３４０の第１連結部材と第２連結部材との間の幅が小さくなるようにした後に、光源部３００を結合部材１１０から分離する。
【０１４０】
［変形例］
図１１は、一変形例による照明装置２の断面図であり、図１２は、一変形例による照明装置２の分解斜視図である。
【０１４１】
一変形例による照明装置２の説明において、先に説明したことと重複する内容は省略することにする。
【０１４２】
図１１及び図１２を参照すると、照明装置２は、ハウジング５００、ハウジングに結合する本体部７００、ハウジング５００と本体部７００との間に配置される反射体６００ａ，６００ｂ及び本体部７００の下部に結合する保護カバー７３０及び光学カバー７４０を含み得る。
【０１４３】
反射体６００ａ，６００ｂは、第１反射体６００ａと第２反射体６００ｂを含み得る。ハウジング５００の内面は反射物質で塗布され、反射体６００ａ，６００ｂが配置される代わりにハウジング５００の内面が反射体６００ａ，６００ｂの機能を行うことができる。
【０１４４】
照明装置２のハウジング５００の内側上面には、クリップ５１０が配置される。クリップ５１０は多様な方法でハウジング５００に結合され得る。例えば、クリップ５１０は、結合ネジ、接着剤などによってハウジング５００に結合され得る。
【０１４５】
クリップ５１０は、本体部７００が挿入され得る開口部を有し、両側面には反射体６００ａ，６００ｂの一側が結合され得るように延長突起を有する。本体部７００は、クリップ５１０の開口部に挿入されてクリップ５１０に挟まれることによって、ハウジング５００に結合する。
【０１４６】
一変形例の本体部７００は、実施形態の第１本体３１０ａ又は第２本体３１０ｂと同一の形状を有し得る。
【０１４７】
本体部７００の下面には発光モジュール７１０が配置され、本体部の側面には保護キャップ７２０が結合され得る。本体部７００の下部には保護カバー７３０及び光学カバー７４０が配置され得る。
【０１４８】
図１１及び１２では、クリップ５１０が一行に配列されており、本体部７００が一つの場合が示されたが、クリップ５１０が複数の列で配列され、本体部７００が複数個である場合も具現することができる。
【０１４９】
発光モジュール７１０から放出される光の一部は、光学カバー７４０の下面７４３により直接光として照射され、他の一部は光学カバー７４０の下面７４３で反射し、光学カバー７４０の側面７４６を通過する。光学カバー７４０の側面７４６を通過した光は、反射体６００ａ，６００ｂによって反射され間接光として照射される。
【０１５０】
図１３は、他の変形例による照明装置３の断面図であり、図１４は、他の変形例による照明装置３の分解斜視図である。
【０１５１】
図１３及び図１４を参照すると、照明装置３のハウジング８００の内側上面には、上面穴８１０が配置される。
【０１５２】
他の変形例の本体部１０００のそれぞれの光源本体ユニットは、実施形態の第１本体３１０ａ又は第２本体３１０ｂと同一の形状を有し得る。図１３及び１４において、本体部１０００は、二つの光源本体ユニットが連結されてなるが、光源本体ユニットの数はこれに制限されず、多数の光源本体ユニットが連結され得る。
【０１５３】
本体部１０００の上面には、本体部１０００の一端から他端までつながる溝１０１６が配置され、溝１０１６の下部にはネジ山が形成され得る。
【０１５４】
本体部１０００の上面は、ハウジング８００の上面穴８１０に対応するようにハウジング８００の内側上面に配置され、ネジがハウジング８００の上面穴８１０を貫通して本体部１０００の溝１０１６に結合することによって、本体部１０００をハウジング８００の内側上面に固定することができる。
【０１５５】
ネジ結合を介した本体部１０００とハウジング８００の結合は、本体部１０００がハウジング８００に緊密に結合されるようにして、本体部１０００からの熱を放出させるための伝導率をより高めることができる。
【０１５６】
本体部１０００の下面には発光モジュール１０１０が配置され、本体部の側面には保護キャップ１０２０が結合され得る。本体部１０００の下部には、保護カバー１０３０及び光学カバー１０４０が配置され得る。
【０１５７】
光学カバー１０４０は、発光モジュール１０１０の光が放出される方向に向かう下面１０４３とハウジング８００の内面に向かう側面１０４６を含み得る。
【０１５８】
発光モジュール１０１０から放出される光の一部は、光学カバー１０４０の下面１０４３により直接光として照射され、他の一部は光学カバー１０４０の下面１０４３で反射し、光学カバー１０４０の側面１０４６を通過する。光学カバー１０４０の側面１０４６を通過した光は、第１反射体９００ａと第２反射体９００ｂを含み得る反射体９００ａ，９００ｂによって反射し間接光として照射される。
【０１５９】
以上から見るように、本発明が属する技術分野の当業者は、本発明が、その技術的思想や必須的特徴を変更せずに他の具体的な形態で実施され得るということが理解できるはずである。
【０１６０】
それゆえに、以上で記述した実施形態は全ての面で例示的なものであって、限定的なものではないと理解すべきであり、本発明の範囲は、前記の詳細な説明よりは後述する特許請求の範囲によって表わされ、特許請求の範囲の意味及び範囲そしてその等価概念から導き出される全ての変更又は変形された形態が本発明の範囲に含まれると解釈されるべきである。
【図１】
2014521198.tif 000003
【図２】
2014521198.tif 000004
【図３】
2014521198.tif 000005
【図４ａ】
2014521198.tif 000006
【図４ｂ】
2014521198.tif 000007
【図４ｃ】
2014521198.tif 000008
【図５】
2014521198.tif 000009
【図６】
2014521198.tif 000010
【図７】
2014521198.tif 000011
【図８】
2014521198.tif 000012
【図９ａ】
2014521198.tif 000013
【図９ｂ】
2014521198.tif 000014
【図９ｃ】
2014521198.tif 000015
【図１０】
2014521198.tif 000016
【図１１】
2014521198.tif 000017
【図１２】
2014521198.tif 000018
【図１３】
2014521198.tif 000019
【図１４】
2014521198.tif 000020
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに連結された結合部材と、
前記ハウジングと前記結合部材との間に配置された反射体と、
前記結合部材に連結された光源部と、
前記光源部に連結された光学部材と、
を含み、
前記光学部材は、前記光源部から放出される光の一部を透過させ、残りの光を前記反射体で反射させる、照明装置。
【請求項２】
前記光学部材は、前記光源部の下に配置された第１面と前記光源部と前記第１面を連結させる第２面とを含み、
前記第１面は、前記光源部からの光を透過及び反射させ、前記第２面は、前記第１面から反射した光を透過させる、請求項１に記載の照明装置。
【請求項３】
前記光学部材の第２面は、少なくとも一つ以上の突起を有する、請求項２に記載の照明装置。
【請求項４】
前記第１面は、両端に延びた延長部を有し、
前記延長部は、前記突起よりさらに長く延びた、請求項３に記載の照明装置。
【請求項５】
前記光源部と前記光学部材との間に保護部材をさらに含み、
前記光学部材と前記保護部材は、レンズ、拡散シート（ｄｉｆｆｕｓｉｏｎ ｓｈｅｅｔ）及び光励起フィルム（Ｐｈｏｓｐｈｏｒ
Ｌｕｍｉｎｅｓｃｅｎｔ Ｆｉｌｍ，ＰＬＦ）のうち少なくとも一つである、請求項１から４のいずれか１項に記載の照明装置。
【請求項６】
前記光源部は、本体部及び前記本体部の下面に配置される発光モジュールを含み、
前記本体部は、第１本体と前記第１本体の一側に配置された第２本体を含み、
前記発光モジュールは、前記第１本体に配置される第１発光モジュールと、前記第２本体に配置される第２発光モジュールとを含み、
前記光源部は、前記第１本体と前記第２本体を結合させる結合キャップをさらに含む、請求項１から５のいずれか１項に記載の照明装置。
【請求項７】
前記第１本体は左右対称であり、
前記第１本体は、第１突出部、第２突出部及び下面突出部を含み、
前記第１突出部は、前記第１本体の両側側面の上部から外側方向に突出して形成され、
前記第２突出部は、前記第１本体の両側側面の下部から外側方向に突出して形成され、
前記下面突出部は、前記第１本体の下面の両端から下方向に突出して形成される、請求項６に記載の照明装置。
【請求項８】
前記第２突出部は、外側方向に行くほど前記光源部の上面と近づく、請求項７に記載の照明装置。
【請求項９】
前記第１突出部は、前記第２突出部より前記光源部の側面方向に少なく突出する、請求項８に記載の照明装置。
【請求項１０】
前記発光モジュールから連結されるワイヤーは、前記複数の本体の間の前記第１突出部と前記第２突出部によって形成されるワイヤー通路に配置される、請求項９に記載の照明装置。
【請求項１１】
前記ハウジングの内面は、少なくとも一部分に反射物質が塗布される、請求項１から１０のいずれか１項に記載の照明装置。
【請求項１２】
前記結合部材は挿入溝を含み、
前記光源部は、前記結合部材の挿入溝と結合する連結部材をさらに含む、請求項１から１１のいずれか１項に記載の照明装置。
【請求項１３】
前記結合部材は前記挿入溝内に第１連結端子をさらに含み、前記光源部は第２連結端子をさらに含み、前記光源部の前記連結部材が前記結合部材の前記挿入溝と結合することによって、前記第１連結端子と前記第２連結端子が電気的に連結される、請求項１２に記載の照明装置。
【請求項１４】
前記光源部は、本体部及び発光モジュールを含み、
前記本体部は、第１本体及び第２本体を含み、
前記連結部材は、前記第１本体に配置された第１連結部材と前記第２本体に配置された第２連結部材とを含み、
前記第１連結部材と前記第２連結部材との間に配置されたスプリングをさらに含む、請求項１２又は１３に記載の照明装置。
【請求項１５】
前記ハウジングは締結手段を有し、
前記光源部は、前記ハウジングの一方向に延びて前記ハウジングの締結手段に対応する締結手段を介して前記ハウジングと結合し、
前記光源部は、発光モジュールを含む少なくとも一つの本体部を含む、請求項１ないし１４のいずれか１項に記載の照明装置。
【請求項１６】
前記締結手段がクリップである場合、前記クリップは、前記ハウジングの内側上面に配置されて開口部を有し、前記光源部は、前記クリップの前記開口部に挿入されて前記ハウジングに結合する、請求項１５に記載の照明装置。
【請求項１７】
前記締結手段がネジである場合、前記ハウジングの上面には一方向に少なくとも一つ以上の穴が形成されて、本体部の上面には前記一方向に少なくとも一つ以上の溝が形成され、前記光源部は、前記ネジが前記ハウジングの前記穴を貫通して前記本体部の前記溝に結合して前記ハウジングに結合する、請求項１５に記載の照明装置。
【請求項１８】
前記本体部は少なくとも一つの本体を含み、前記本体は左右対称であり、前記本体を結合させる結合キャップをさらに含む、請求項１５から１７のいずれか１項に記載の照明装置。
【国際調査報告】
2014521198.tif 000021
2014521198.tif 000022